(57)【特許請求の範囲】
【請求項１】
一対の支柱と、これら支柱間に架設される表示面材とを具備する表示体において、
上記表示面材を、上下の一端に狭小テーパ状の嵌合凸条を有し、上下の他端に拡開テーパ状の嵌合凹条を有する複数の形材の嵌合凸条と嵌合凹条を嵌合させて形成すると共に、上記嵌合凸条と嵌合凹条の間に接着剤を介在して形材同士を固着し、
この際、上記形材の厚さ方向の両端近傍の上端及び下端に形成されて互いに当接係合する平坦面と傾斜面を有する位置合せ部によって上記嵌合凸条と嵌合凹条の嵌合部間の隙間の間隔を維持すると共に、形材の厚さ方向のずれを防止するように形成し、かつ、上記嵌合凸条の両側裾端近傍に接着剤溜り用凹所を形成してなる、ことを特徴とする表示体。
【請求項２】
一対の支柱と、これら支柱間に架設される表示面材とを具備する表示体において、
上記表示面材を、上下の一端に狭小テーパ状の嵌合凸条を有し、上下の他端に拡開テーパ状の嵌合凹条を有する複数の形材の嵌合凸条と嵌合凹条を嵌合させて形成すると共に、上記嵌合凸条と嵌合凹条の間に接着剤を介在して形材同士を固着し、
この際、上記形材の厚さ方向の両端近傍の上端及び下端に形成されて互いに当接係合する平坦面と傾斜面を有する位置合せ部によって上記嵌合凸条と嵌合凹条の嵌合部間の隙間の間隔を維持すると共に、形材の厚さ方向のずれを防止するように形成し、かつ、上記嵌合凸条の両側裾端近傍に接着剤溜り用凹所を形成し、
上記表示面材を、上記支柱に設けられた取付段部と、上記支柱における上記取付段部と対向する部位に固定部材をもって固定されるアングル状の押え部材とで挟持すると共に、表示面材と押え部材とを固定部材によって固定し、
上記押え部材の側方に、上記固定部材を目隠しする化粧部材を被着し、かつ、上記押え部材と化粧部材の上端にキャップ部材を被着すると共に、キャップ部材と押え部材及び化粧部材とをそれぞれ結合部材にて固定してなる、ことを特徴とする表示体。
【発明の詳細な説明】
【０００１】
【発明の属する技術分野】
この発明は表示体に関するもので、詳細には例えば公園等の公共の広場や観光地、施設の出入り口付近、道路あるいは鉄道路線付近等に設置され、宣伝広告や告知書面等を掲示する立て看板等の表示体に関するものである。
【０００２】
【従来の技術】
立て看板等に代表される表示体としては、一般に、一対の支柱と、これら支柱間に架設される表示面材とを具備するものが知られている。この場合、上記表示面材には、例えば押出成形によって中空矩形状に形成される複数の板部材を短手方向に積層して表示面を形成し、片面側を補強材にて固定したもの、あるいは、一対の表面板の間にハニカムコア材を介在させた１枚のハニカムパネルにて表示面を形成するもの等が広く採用されている。
【０００３】
また、上記一対の支柱は、その下方側が地中に埋設固定され、上方側には上記のように構成される表示面材が架設される。このようにして、適当な高さに架設された表示面材の表示面に企業の宣伝広告や告知書面等の掲示物を貼着して、立て看板すなわち表示体として使用する。
【０００４】
【発明が解決しようとする課題】
しかしながら、上述した従来の表示体において、前者すなわち上記表示面材を、複数の板部材を積層して形成した場合は、表示面材の片面側を補強材にて固定しているので、片面側に露呈する補強材によって表示体の美観が損なわれると共に、表示体として使用できるのは１面のみであるので、利用価値が低下するという問題があった。更に、表示面材は横方向に長く形成される場合が多いので、このような場合、表示面材は十分な強度を保つことができず、横方向に撓みが生じる虞れがあり、これにより表示体及び表示面材に貼着された掲示物の美観が損なわれるという問題もあった。したがって、表示体を利用する広告主のイメージダウンを生じる虞れがあった。
【０００５】
また、後者すなわち上記表示面材を１枚のハニカムパネルにて形成した場合、表示面を広くするために大型のハニカムパネルを使用することも考えられるが、製造コストが高くなり、その大きさにも制限が生じるという問題があった。
【０００６】
この発明は、上記事情に鑑みなされたもので、製造コストを高くすることなく、表示面材の強度を向上させて撓みの発生を防止し、かつ、大きさに制限なく表示面材の両面を使用可能にすることにより、外観の美しい、利用価値の高い表示体を提供することを目的とするものである。
【０００７】
【課題を解決するための手段】
上記目的を達成するために、この発明は以下のように構成する。
【０００８】
請求項１記載の発明は、一対の支柱と、これら支柱間に架設される表示面材とを具備する表示体において、上記表示面材を、上下の一端に狭小テーパ状の嵌合凸条を有し、上下の他端に拡開テーパ状の嵌合凹条を有する複数の形材の嵌合凸条と嵌合凹条を嵌合させて形成すると共に、上記嵌合凸条と嵌合凹条の間に接着剤を介在して形材同士を固着し、この際、上記形材の厚さ方向の両端近傍の上端及び下端に形成されて互いに当接係合する平坦面と傾斜面を有する位置合せ部によって上記嵌合凸条と嵌合凹条の嵌合部間の隙間の間隔を維持すると共に、形材の厚さ方向のずれを防止するように形成し、かつ、上記嵌合凸条の両側裾端近傍に接着剤溜り用凹所を形成してなる、ことを特徴とする。
【０００９】
請求項２記載の発明は、一対の支柱と、これら支柱間に架設される表示面材とを具備する表示体において、上記表示面材を、上下の一端に狭小テーパ状の嵌合凸条を有し、上下の他端に拡開テーパ状の嵌合凹条を有する複数の形材の嵌合凸条と嵌合凹条を嵌合させて形成すると共に、上記嵌合凸条と嵌合凹条の間に接着剤を介在して形材同士を固着し、この際、上記形材の厚さ方向の両端近傍の上端及び下端に形成されて互いに当接係合する平坦面と傾斜面を有する位置合せ部によって上記嵌合凸条と嵌合凹条の嵌合部間の隙間の間隔を維持すると共に、形材の厚さ方向のずれを防止するように形成し、かつ、上記嵌合凸条の両側裾端近傍に接着剤溜り用凹所を形成し、上記表示面材を、上記支柱に設けられた取付段部と、上記支柱における上記取付段部と対向する部位に固定部材をもって固定されるアングル状の押え部材とで挟持すると共に、表示面材と押え部材とを固定部材によって固定し、上記押え部材の側方に、上記固定部材を目隠しする化粧部材を被着し、かつ、上記押え部材と化粧部材の上端にキャップ部材を被着すると共に、キャップ部材と押え部材及び化粧部材とをそれぞれ結合部材にて固定してなる、ことを特徴とする。
【００１０】
請求項１記載の発明によれば、表示面材を、上下に嵌合凸条と嵌合凹条を有する複数の形材の嵌合凸条と嵌合凹条を嵌合させて形成すると共に、上記嵌合凸条と嵌合凹条間に接着剤を介在して形材同士を固着するので、表示面材の組立を容易にすることができると共に、形材同士を強固に接合することができる。これにより、組立の手間と時間を低減でき、また、表示面材の強度を向上させることができると共に、撓みを防止することができる。また、表示面材の両面に表示機能を持たせることができる。
【００１１】
この場合、固着される両形材の上下部には、嵌合凸条と嵌合凹条間の隙間を調整するための位置合せ部を形成することにより、嵌合凸条と嵌合凹条間の隙間を一定に維持することができ、接着剤の性能を有効に発揮できる所定間隔以下で接着剤を介在させて形材同士を更に強固に接着することができる。また、嵌合凸条の両側裾端近傍に接着剤溜り用凹所を形成することにより、嵌合凸条と嵌合凹条間に介在される余分な接着剤を吸収することができるので、より一層、嵌合凸条と嵌合凹条間に接着剤を、目的とする強度が得られる厚さに均一に介在させることができ、更に接着剤が外部に漏れることなく、両形材同士を強固に接着することができる。
【００１２】
請求項２記載の発明によれば、表示面材を、支柱に設けられた取付段部と押え部材にて挟持すると共に、表示面材と押え部材とをブラインドリベット等の固定部材によって固定するので、表示面材を架設する際の両端の位置決めを容易にすることができ、かつ、表示面材を支柱に強固に取り付けることができる。また、押え部材の側方に、固定部材を目隠しする化粧部材を被着し、かつ、上記押え部材と化粧部材の上端にキャップ部材を被着すると共に、キャップ部材と押え部材及び化粧部材とをそれぞれねじ等の結合部材にて固定するので、表示体の美的外観を向上させることができると共に、雨水等が付着することによる固定部材や押え部材の腐食を防止することができる。
【００１３】
また、表示面材を、上下に嵌合凸条と嵌合凹条を有する複数の形材の嵌合凸条と嵌合凹条を嵌合させて形成すると共に、上記嵌合凸条と嵌合凹条間に接着剤を介在して形材同士を固着することにより、表示体の美的外観を向上することができ、固定部材や押え部材の腐食を防止できることに加えて、表示面材の強度を向上させることができると共に、撓みを防止することができる。また、表示面材の両面に表示機能を持たせることができる。
【００１４】
また、固着される両形材の上下部には、嵌合凸条と嵌合凹条間の隙間を調整するための位置合せ部を形成することにより、嵌合凸条と嵌合凹条間の隙間を一定に維持することができ、接着剤の性能を有効に発揮できる所定間隔以下で接着剤を介在させて形材同士を接着剤の性能を十分に発揮させて強固に接着することができる。また、嵌合凸条の両側裾端近傍に接着剤溜り用凹所を形成することにより、嵌合凸条と嵌合凹条間に介在される余分な接着剤を吸収することができるので、より一層、嵌合凸条と嵌合凹条間に接着剤を、目的とする強度が得られる厚さに均一に介在させることができ、更に接着剤が外部に漏れることなく両形材同士を強固に接着することができる。
【００１５】
【発明の実施の形態】
以下に、この発明の実施形態を図面に基づいて詳細に説明する。ここでは、表示体を立て看板として使用する場合について説明する。
【００１６】
図１は、この発明に係る表示体例えば立て看板１の一例を示す概略正面図（ａ）、及びその側面図（ｂ）である。立て看板１は、一対の支柱２ａ，２ｂと、これら支柱２ａ，２ｂ間に架設される表示面材３と、表示面材３の少なくとも片面側に貼着される印刷物１８とを具備しており、支柱２ａ，２ｂの下部は、地中４に埋設されるコンクリート塊５によって固定されている。
【００１７】
以下に、表示面材３の構成を図２ないし図４に基づいて詳細に説明する。表示面材３は、例えばアルミニウム合金製の押出形材にて中空矩形状に形成される複数の形材１０を上下に連結して組み立てることにより形成されるパネル１０Ａと、このパネル１０Ａの両側端に添設される２つのアングル材６と、アングル材６をパネル１０Ａに固定するための複数の固定部材例えばビス７にて構成されている（図２（ａ）ないし（ｃ）参照）。
【００１８】
なお、形材１０は、例えば横１８０ｃｍ、縦１０ｃｍ程度の細長い板状をなしており、これらを例えば１２枚を連結することにより、パネル１０Ａが形成される。この場合、各形材１０の上端には凸部例えば先端に向かって狭小となるテーパ面を有する嵌合凸条１１が形成されている。また、この嵌合凸条１１の両側裾端近傍には接着剤溜り用凹所１３が形成されると共に、その外側には位置合せ部１６が形成されている。この場合、位置合せ部１６は、形材１０同士が当接する平坦面１６ａと、平坦面１６ａの一端から形材１０の内方側に延在する傾斜面１６ｂとで構成されている。また、各形材１０の下端には凹部例えば開口側に向かって拡開するテーパ面を有する嵌合凹条１２が形成されている。また、この嵌合凹条１２の上方にはビスポケット１４が突設されており、更に形材１０の厚さ方向の両端近傍には、上記位置合せ部１６と当接係合する平坦面１５ａと傾斜面１５ｂを有する位置合せ部１５が形成されている（図３（ｂ）参照）。
【００１９】
上記のように形成される形材１０同士を、左右両端を揃えて、かつ嵌合凸条１１が嵌合凹条１２に嵌合されるようにして連結し、その接合部の隙間に例えばエポキシ樹脂系の接着剤１７を介在させて接着することにより、パネル１０Ａを形成する（図３（ａ）参照）。このとき、隣接する形材１０同士は、嵌合凸条１１と嵌合凹条１２との接触によって係止されるのではなく、両形材１０の凹凸部すなわち嵌合凸条１１と嵌合凹条１２を嵌合した際に、両形材１０の位置合せ部１５，１６の平坦面１５ａ，１６ａと傾斜面１５ｂ，１６ｂが当接係合して、嵌合凸条１１と嵌合凹条１２の嵌合部間の隙間を所定寸法以下例えば１．０ｍｍ以下好ましくは０．１ないし０．２ｍｍ以下程度の間隔に維持すると共に、形材１０の厚さ方向厚さ方向すなわち側面方向のずれを防止することができる（図３（ｂ）参照）。なお、上記間隔は隙間に接着剤が介在されていればいくら狭くてもよい。なお、形材１０の組み立て前に、嵌合凸条１１と嵌合凹条１２には接着剤のための下地処理を行なう。
【００２０】
このように構成することにより、むらのない、かつ適度な厚みを有する接着剤層を形成させることができるので、より効果的かつ強力に接着できると共に、接合部が曲がることなく、滑らかな平面状の表示面材３を形成することができる。この場合、嵌合凸条１１と位置合せ部１６の間に接着剤溜り用凹所１３が形成され、この接着剤溜り用凹所１３と、隣接する形材１０の下側平坦部とで囲まれる領域に接着剤溜りを形成するので、余分な接着剤１７を接着剤溜り用凹所１３に溜める（吸収する）ことができ、嵌合凸条１１と嵌合凹条１２間に介在される接着剤１７を、目的とする強度が得られる厚さ以下に介在させることができる。したがって、形材１０同士を、更に効果的かつ強力に接着することができる。
【００２１】
また、上記アングル材６は、例えばアルミニウム合金製の押出形材にて形成されており、上述のようにして、複数の形材１０を結合したパネル１０Ａの両側端に添設され（図２（ｃ）参照）、そしてアングル材６のパネル１０Ａの側面と接触する片に設けられた、複数のビス孔７ａを貫通するビス７を、ビスポケット１４に螺合して、パネル１０Ａの両側端部にアングル材６を固定する。なおこの場合、連結した形材１０のビスポケット１４の一つおきにビス止めされている（図２（ａ）及び（ｂ）参照）。このように、パネル１０Ａの両側端にアングル材６を添設固定することにより、接着剤が硬化するまでの保持と形材１０を連結する際の両端の位置決めが容易に行えると共に、パネル１０Ａのずれや撓みを防止することができ、効果的に補強固定できる。
【００２２】
上記のように、複数の形材１０を、嵌合凸条１１と嵌合凹条１２を嵌合させると共に、隣接する形材１０の位置合せ部１５，１６を当接係合して連結し、形材１０同士を接着剤１７にて接着することによりパネル１０Ａを形成する。そして、パネル１０Ａの両側端に２つのアングル材６を添設固定して、表示面材３を形成する。表示面材３をこのように形成することにより、表示面材３の強度を向上させることができると共に、両面に表示機能を持たせることができる。
【００２３】
なお、表示面材３の上端部には、例えばアルミニウム合金製の押出形材にて形成される断面略コの字状の上枠１９が覆設されている。この上枠１９は、上枠１９の上面から、最上段の形材１０に設けられた嵌合凸条１１の頂部上面を貫通するように、ねじ２０にて固定されている（図５参照）。このような上枠１９を覆設する理由は、表示面材３の上端部には、最上段に位置する形材１０の嵌合凸条１１が突出しており、表示面材３の美的外観を損なう虞れがあるためであり、また、上記上端部形材１０の接着剤溜り用凹所１３に雨水等が溜まることを防止するためである。また、表示面材３を構成する各部材すなわち形材１０、アングル材６及び上枠１９には、その表面に陽極酸化皮膜処理がなされているので、耐腐食性が向上している。
【００２４】
このように形成される表示面材３の少なくとも片面側に、例えば企業の宣伝広告や告知書面、あるいは観光地の案内図や説明文等が印刷された印刷物１８を接着剤で貼着する。この場合、印刷物１８は、例えばアルミニウム合金製のシート状に形成されており、表面に陽極酸化皮膜処理がなされたものに掲示内容を印刷したものが使用される。なお、上記アルミニウム合金製のシート以外にも、耐腐食性に富み、印刷又は塗装可能で、更に接着可能であれば、例えばプラスチックフィルムやプラスチックの薄板等を使用してもよい。
【００２５】
一方、上記支柱２ａ，２ｂは、アルミニウム合金製の押出形材にて中空状に形成されており、その断面形状は、略中空矩形状の支柱本体３１と、この支柱本体３１の一辺の一側部に隆起する取付段部３２とで構成されている。これら両支柱２ａ，２ｂは左右対称に形成されており、取付段部３２と、支柱２ａ，２ｂにおける取付段部３２と対向する部位に固定部材例えばブラインドリベット３０をもって固定されるアングル状の押え部材２５とで、表示面材３が挟持されると共に、表示面材３と押え部材２５とを固定部材例えばブラインドリベット３０によって固定して、両支柱２ａ，２ｂ間に表示面材３が架設されている。
【００２６】
この場合、押え部材２５は、例えばアルミニウム合金製の押出形材にて形成されている。この押え部材２５の両片の先端部には内角側面に向かってクランク状に折曲する係止部２５ａが形成され、また、押え部材２５の内角部にはビスポケット２８が突設されている。このように形成される押え部材２５の外部側方には、上記ブラインドリベット３０を外部から目隠しする化粧部材２６が被着されている。
【００２７】
この場合、化粧部材２６は、例えばアルミニウム合金製の押出形材にて形成されている。この化粧部材２６の両側部には、上記押え部材２５の係止部２５ａに係止される係止爪２６ａが形成され、また、化粧部材２６の内方側の面の短手方向の中間部には、ビスポケット２９が突設されている。
【００２８】
上記のように、押え部材２５の係止部２５ａに、係止爪２６ａを係止させて、押え部材２５の外部側方に、化粧部材２６を被着することにより、押え部材２５を支柱２ａ，２ｂに固定するブラインドリベット３０と、押え部材２５と表示面材３とを固定するブラインドリベット３０を、外部から目隠しすることができる。
【００２９】
また、押え部材２５と化粧部材２６の上端開口部には、図７に示すようなキャップ部材２１が被着されており、キャップ部材２１に穿設された２つの取付孔２４ａ，２４ｂを貫通する２つの結合部材例えばビス２４を、押え部材２５及び化粧部材２６に設けられたビスポケット２７及び２８に螺合することによってキャップ部材２１が固定されている（図５参照）。
【００３０】
このように、押え部材２５と化粧部材２６の上端開口部に、キャップ部材２１を被着すると共に、キャップ部材２１と押え部材２５及び化粧部材２６とをそれぞれビス２４にて固定することにより、押え部材２５と化粧部材２６を固定して、化粧部材２６のがたつきや脱落を防止することができる。また、キャップ部材２１の被着によって押え部材２５と化粧部材２６とで形成される空間内に雨水等が侵入するのを防止することができるので、押え部材２５の腐食を防止することができると共に、立て看板１の美観の向上を図ることができる。
【００３１】
なおこの場合、キャップ部材２１は、例えばアルミニウム合金製の板状部材にて形成されており、その表面には例えばアクリル樹脂系の塗料が焼付け塗装されて、耐水性及び耐候性に富むように形成されている。
【００３２】
また、上記支柱２ａ，２ｂの上端開口部には、図８に示すような支柱キャップ２２が被着されており、この支柱キャップ２２に穿設された取付孔２３ａを貫通するビス２３を支柱２ａ，２ｂに設けられたビスポケット２７に螺合することによって支柱キャップ２２が固定されている（図５参照）。この場合、支柱キャップ２２は、上記キャップ部材２１と同様に、例えばアルミニウム合金製の板状部材にて形成されており、その表面には例えばアクリル樹脂系の塗料が焼付け塗装されて、耐水性及び耐候性に富むように形成されている。また、支柱２ａ，２ｂは地中４に埋設されるコンクリート塊５によって立設固定されている（図１参照）。
【００３３】
なお、上記支柱２ａ，２ｂ、押え部材２５及び化粧部材２６は、上記形材１０及びアングル材６と同様に、その表面に陽極酸化皮膜処理がなされて、耐食性に富むように形成されている。
【００３４】
以下に、表示面材３を支柱２ａ，２ｂに架設固定する手順について、図５及び図６を参照して説明する。
まず、上述のように構成される表示面材３の少なくとも片面側に、上記印刷物１８を接着剤等で貼着する。その後、上述のように地中４に立設固定された支柱２ａ，２ｂの取付段部３２に、表示面材３の印刷物１８を貼着した面の左右両端を押圧する。なおこの場合、支柱２ａ，２ｂの上端と表示面材３の上端が同じ高さであることが好ましい。その後、取付段部３２と対向する部位の適当な高さに、支柱２ａ，２ｂの支柱本体３１と表示面材３に当接するように、押え部材２５を押圧し、押え部材２５と表示面材３及び支柱２ａ（２ｂ）を貫通するように予め設けられた孔（図示せず）に、ブラインドリベット３０の軸部を挿入し、先端をかしめて固定する（図６参照）。
【００３５】
次に、押え部材２５の係止部２５ａに、化粧部材２６の係止爪２６ａを係止させるようにして化粧部材２６を被着し、押え部材２５を目隠しする。その後、表示面板３と支柱２ａ（２ｂ）と化粧板２６とで囲まれる領域の上端部に、キャップ部材２１を被着させ、キャップ部材２１に設けられた取付孔２４ａを貫通する２本のビス２４を、ビスポケット２８，２９に螺合して固定する。これにより、化粧部材２６が固定される。なお、支柱キャップ２２は、この段階で被着してもよい。このように、表示面材３を支柱２ａ，２ｂに架設固定し、立て看板１を構成することにより、強度及び耐久性を向上させることができ、また、表示面材３の両面を表示面として使用できる。
【００３６】
また、立て看板１の掲示内容を交換する場合は、まずビス２４を弛めてキャップ２１を取り外し、化粧部材２６を押え部材２５から取り外した後、ブラインドリベット３０を座ぐりして取り除くことによって表示面材３を取り外す。そして、別の印刷物が貼着された新しい表示面材３を上述と同様の手順で取り付けて、前回と異なる箇所をブラインドリベット３０にて固定した後、化粧部材２６を被着し、押え部材２５と化粧部材２６の上端開口部にキャップ部材２１を被着固定すればよい。したがって、表示面材３の交換を容易に行うことができると共に、支柱２ａ，２ｂや化粧部材２６等は、繰返し使用することができるので、交換コストの低減を図ることができる。
【００３７】
以上に、この発明を立て看板に適用した場合について説明したが、この発明に係る表示面材を立て看板以外の表示体に適用できるのは勿論である。
【００３８】
【発明の効果】
以上に説明したように、この発明の表示板によれば、以下のような優れた効果が得られる。
【００３９】
請求項１記載の発明によれば、表示面材の組立を容易にすることができる。また、形材同士を強固に接合することができるので、表示面板の強度を向上させることができると共に、撓みを防止することができる。したがって、表示体の耐久性が向上すると共に、表示面材及び掲示物の美的外観が損なわれることを防止できる。また、表示面板の両面に表示機能を持たせることができるので、表示体の利用価値を高めることができる。
【００４０】
また、嵌合凸条と嵌合凹条間の隙間を一定間隔以下に維持することができ、接着剤を介在させて形材同士を接着剤の性能を十分に発揮させて更に強固に接着することができるので、表示面材の強度を更に向上させることができる。また、嵌合凸条と嵌合凹条間に介在される余分な接着剤を吸収することができ、嵌合凸条と嵌合凹条間に適度な厚みをもった接着剤層が所定寸法以下に形成されるので、形材同士を更に強固に接着することができると共に、表示面材の強度を更に向上させることができ、表示面材の表面への接着剤のはみだしを防げる。
【００４１】
請求項２記載の発明によれば、表示面材を架設する際の両端の位置決めを容易にすることができるので、表示体の組立を容易にすることができる。また、表示面材を支柱に強固に取り付けることができるので、表示面材の撓みを防止することができる。したがって、表示体の耐久性が向上すると共に、表示面材及び掲示物の美的外観が損なわれることを防止できる。また、化粧部材とキャップ部材を所定位置に被着するので、表示体の美的外観を向上させることができると共に、固定部材や押え部材の腐食を防止でき、耐久性が向上する。
【００４２】
また、表示面材を構成する形材同士をより強固に接合することができるので、表示面材の強度を向上させることができると共に、撓みを防止することができる。したがって、表示体の耐久性が向上すると共に、表示面材及び掲示物の美的外観が損なわれることを防止できる。また、表示面材の両面に表示機能を持たせることができるので、表示体の利用価値を高めることができる。
【００４３】
また、嵌合凸条と嵌合凹条間の隙間を一定に維持することができ、接着剤を介在させて形材同士を更に強固に接着することができるので、表示面材の強度を更に向上させることができる。また、嵌合凸条と嵌合凹条間に介在される余分な接着剤を吸収することができ、嵌合凸条と嵌合凹条間に所定寸法以下の接着剤層がより一層均一に形成されるので、介在同士を更に強固に接着することができると共に、表示面材の強度を更に向上させることができる。
【図面の簡単な説明】
【図１】  この発明に係る表示体の一例を示す概略正面図（ａ）及びその側面図（ｂ）である。
【図２】  この発明における表示面材の概略平面図（ａ）、その概略側面図（ｂ）及び概略断面図（ｃ）である。
【図３】  この発明における形材同士の接合構造を示す概略側断面図（ａ）及びＡ部拡大図（ｂ）である。
【図４】  この発明における形材の断面斜視図である。
【図５】  この発明における表示面材と支柱との取付状態を示す斜視図である。
【図６】  図５の横断面図である。
【図７】  この発明におけるキャップ部材を示す斜視図である。
【図８】  支柱キャップを示す平面図（ａ）及びその側面図（ｂ）である。
【符号の説明】
１  立て看板（表示体）
２ａ，２ｂ  支柱
３  表示面材
１０  形材
１０Ａ  パネル
１１  嵌合凸条（凸部）
１２  嵌合凹条（凹部）
１３  接着剤溜り用凹所
１４  ビスポケット
１５  位置合せ部
１６  位置合せ部
１５ａ，１６ａ  平坦面
１５ｂ，１６ｂ  傾斜面
１７  接着剤
１８  印刷物
２１  キャップ部材
２４  ビス（結合部材）
２５  押え部材
２６  化粧部材
２８  ビスポケット
２９  ビスポケット
３０  ブラインドリベット（固定部材）
３１  支柱本体
３２  取付段部
【図１】
0003674659.tif 000002
【図２】
0003674659.tif 000003
【図３】
0003674659.tif 000004
【図４】
0003674659.tif 000005
【図５】
0003674659.tif 000006
【図６】
0003674659.tif 000007
【図７】
0003674659.tif 000008
【図８】
0003674659.tif 000009